(57)【特許請求の範囲】
【請求項１】
正面側に突き出た本体接触部（４ｃ）を有する左右方向に複数並んだ枠端子（４，５）を備えた引出枠（１）と、背面に前記枠端子に対応する本体端子（９，１０）を備え前記引出枠内の断路位置と接続位置との間を水平に移動する遮断器本体（６）と、を有する多極形の引出形回路遮断器の、前記遮断器本体が前記引出枠から取り外されたとき前記枠端子の本体接触部を自動的に覆うシャッタ装置において、
前記枠端子の本体接触部が挿通する開口部（７ａ）が形成され、該本体接触部に沿って前記遮断器本体の移動方向にスライド自在の絶縁板製の水平スライド板（７）と、
前記水平スライド板に沿って垂直方向にスライド自在なるように該水平スライド板に保持されるとともに前記枠端子の本体接触部が挿通する開口部（８ａ）が形成され、該開口部と前記水平スライド板の開口部とが一致した状態で前記本体接触部に沿って前記遮断器本体の移動方向にスライド自在の絶縁板製の垂直スライド板（８）と、
前記水平スライド板を前記遮断器本体方向に付勢するばね（１８）と、
前記垂直スライド板を前記水平スライド板の開口部を覆う方向に付勢するばね（２０）と、を前記枠端子ごとに設け、
前記遮断器本体が接続位置に挿入される途中で前記垂直スライド板を、前記垂直スライド板の開口部と前記水平スライド板の開口部とが一致する位置まで垂直移動させる垂直スライド板動作部材（１１）と、
前記両開口部が一致した状態でさらに前記遮断器本体が挿入されたとき、前記水平スライド板と前記垂直スライド板とを前記枠端子の本体接触部に沿って移動させるシャッタ板水平動作部材（１０）と、を前記枠端子ごとに対応して前記遮断器本体に設け、
更に、前記垂直スライド板と前記水平スライド板のいずれか一方に設けられる変位自在の凸部材（１４ａ）と他方に設けられる凹部材（７ｄ）からなる係合手段を有し、前記垂直スライド板が前記水平スライド板の開口部を覆っている状態で前記係合手段が係合して前記垂直スライド板の垂直方向へのスライドを阻止するスライド阻止部材（１２）を有し、前記遮断器本体が接続位置に挿入される途中で前記凸部材を変位させ前記係合手段の係合を解除する解除手段（１１）が前記遮断器本体に設けられることを特徴とする引出形回路遮断器のシャッタ装置。
【請求項２】
正面側に突き出た本体接触部（４ｃ）を有する左右方向に複数並んだ枠端子（４，５）を備えた引出枠（１）と、背面に前記枠端子に対応する本体端子（９，１０）を備え前記引出枠内の断路位置と接続位置との間を水平に移動する遮断器本体（６）と、を有する多極形の引出形回路遮断器の、前記遮断器本体が前記引出枠から取り外されたとき前記枠端子の本体接触部を自動的に覆うシャッタ装置において、
前記枠端子の本体接触部が挿通する開口部（７ａ）が形成され、該本体接触部に沿って前記遮断器本体の移動方向にスライド自在の絶縁板製の水平スライド板（７）と、
前記水平スライド板に沿って垂直方向にスライド自在なるように該水平スライド板に保持されるとともに前記枠端子の本体接触部が挿通する開口部（８ａ）が形成され、該開口部と前記水平スライド板の開口部とが一致した状態で前記本体接触部に沿って前記遮断器本体の移動方向にスライド自在の絶縁板製の垂直スライド板（８）と、
前記水平スライド板を前記遮断器本体方向に付勢するばね（１８）と、
前記垂直スライド板を前記水平スライド板の開口部を覆う方向に付勢するばね（２０）と、を前記枠端子ごとに設け、
前記遮断器本体が接続位置に挿入される途中で前記垂直スライド板を、前記垂直スライド板の開口部と前記水平スライド板の開口部とが一致する位置まで垂直移動させる垂直スライド板動作部材（１１）と、
前記両開口部が一致した状態でさらに前記遮断器本体が挿入されたとき、前記水平スライド板と前記垂直スライド板とを前記枠端子の本体接触部に沿って移動させるシャッタ板水平動作部材（１０）と、を前記枠端子ごとに対応して前記遮断器本体に設け、
更に、左右方向に並んだ全ての前記枠端子に対応する複数の前記垂直スライド板と係合して前記垂直スライド板を前記水平スライド板の開口部を覆う位置にロックするロック部材（２３）と南京錠を取り付けるロック孔（２１ｅ）を備えるとともに、前記引出枠からの取外し可能位置と取外し不可能位置との間で前記引出枠上を左右方向にスライド自在のスライドロック板（２１）と、
前記引出枠上の固定部材（１７）と係合してスライド不可能であるとともに、前記スライドロック板が取外し不可能位置にあるとき該スライドロック板に形成されたロック孔と一致する位置に南京錠を取り付けるロック孔（２２ｃ）を有する固定ロック板（２２）とを有することを特徴とする引出形回路遮断器のシャッタ装置。
【発明の詳細な説明】
【技術分野】
【０００１】
本発明は、引出形回路遮断器の主回路のシャッタ装置に関する。
【背景技術】
【０００２】
引出形回路遮断器は、外部導体を接続する枠端子が設けられた引出枠と、この引出枠内の断路位置と接続位置との間を直線状に移動することによって枠端子と接触及び開離する本体端子が背面に設けられた遮断器本体を有する。
この枠端子は引出枠の奥に位置するが正面方向に突き出しており、遮断器本体を引出枠から取り外したとき、枠端子が正面側に露出して感電の危険が生じるという問題があった。このため、遮断器本体を取り外す前に自動的に枠端子を覆うシャッタ装置を備えることがある。
【０００３】
図１０及び図１１は、特開２００１−１５７３３０号公報に開示されている従来のシャッタ装置を装着した３極形の引出形回路遮断器の引出枠５０を示す図であって、それぞれ正面から見た図及び側面から見た部分図である。この引出枠５０には、３個の上側端子５１及び３個の下側端子５２が設けられている。上側端子５１と下側端子５２は上下対称の形状であるため上側端子５１について説明すると、図１１を参照して、上側端子５１は側面から見たとき十字状であって遮断器本体５３方向にある水平部分５１ａの上面と下面に、遮断器本体５３に設けられた上下一対の引出主接触子５４が接触する。
【０００４】
従来のシャッタ装置は、いずれも絶縁物からなり、上側端子５１の水平部分５１ａの根元側半分を覆う固定筒５５と、水平部分５１ａの先端側半分を覆う遮断器本体５３方向に付勢されているスライド筒５６を有している。なお、両筒には水平部分５１ａの遮断器本体５３との対向面５１ｂを覆う機能はない。
図１０を参照して、このシャッタ装置は、さらに、３個の上側端子５１を覆う絶縁物からなる可動シャッタ板５７と３個の下側端子５２を覆う絶縁物からなる可動シャッタ板５８とを有している。なお、図１０は比較するのに便利なように、便宜的に図の上半分はこのシャッタ装置が閉じた状態を示し、下半分は開いた状態を示している。すなわち、遮断器本体が取り外された状態にあっては、図の上半分に示されているように上側の可動シャッタ板５７が上側端子５１の対向面５１ｂを覆う位置にあり、図示していないが、下側の可動シャッタ板５８も下側端子５２の対向面５２ｂを覆う位置となっている。一方、遮断器本体が接続位置にある状態にあっては、図の下半分に示されているように下側の可動シャッタ板５８が下側端子５２の対向面５２ｂが露出する位置にあり、図示していないが、上側の可動シャッタ板５７も上側端子５１の対向面５１ｂが露出する位置になっている。なお、図１０では、遮断器本体５３の図示が省略されている。
【０００５】
以下、シャッタ板の構造及び動作について、上下に対称構造である上側下側のシャッタ装置を代表して、上側のシャッタ装置について簡単に説明する。
可動シャッタ板５７は、その両端が保持されている保持機構５９を介して図示されていないばねによって上方に付勢されている。図１１を参照して、遮断器本体５３が接続位置にあるときは、可動シャッタ板５７は保持機構５９の動作により下方位置に移動しており、スライド筒５６が引出主接触子５４によって押し込まれており、接触子５４と上側端子５１の水平部分５１ａが接触している。
図１１の状態から引出操作によって遮断器本体５３を左方向へ移動させると、遮断器本体５３の移動に追随して、スライド筒５６が左方向に移動して上側端子５１の水平部分５１ａの先端部分を覆う。そして、保持機構５９が動作して、可動シャッタ板５７が上方に移動して上側端子５１の対向面５１ｂを覆う。
【０００６】
図１２は、遮断器本体５３が取り外されているとき、不用意に可動シャッタ板５７を移動させ上側端子５１の対向面５１ｂが露出することがないように設けられたロック装置を説明する図である。このロック装置のロックレバー６０及びロックレバー６１は、それぞれ時計方向及び反時計方向へ付勢されている。ロックレバー６０は、図１１において引出主接触子５４が断路位置方向、すなわち左方向へ移動するのに追随して時計方向へ回転し、可動シャッタ板５７が上側端子５１の対向面５１ｂを覆ったとき回転が停止する。この状態で、ロックレバー６１を時計方向へ回転させて双方に形成されたロック孔６０ａ、６１ａを合致させて南京錠６２を装着する。この状態において、ロックレバー６０の先端部６０ｂが可動シャッタ板５７の上部左側に位置し、ロックレバー６１の端部が可動シャッタ板５７の下辺部に位置するため、両部材によって抱え込まれるような状態にある可動シャッタ板５７を下方に移動させることはできない。
【特許文献１】特開２００１−１５７３３０号公報
【発明の開示】
【発明が解決しようとする課題】
【０００７】
上述した従来の引出形回路遮断器のシャッタ装置は、可動シャッタ板５７，５８が３極形回路遮断器としての横幅寸法を有するものである。しかし、回路遮断器には４極形のものもあり、この場合は別の寸法のものを用意する必要があった。また、横幅が大きくなると撓みが生じるため特開２００１−１５７３３０号公報で提案されているような撓み対策の構成も必要としていた。
したがって、本願発明は、以上のような問題を解決し、構成が簡単で回路遮断器の仕様に対応して融通性のある引出形回路遮断器のシャッタ装置を提供することを目的とする。
【課題を解決するための手段】
【０００８】
上記の問題を解決するために、請求項１の発明は、正面側に突き出た本体接触部（４ｃ）を有する左右方向に複数並んだ枠端子（４，５）を備えた引出枠（１）と、背面に枠端子に対応する本体端子（９，１０）を備え引出枠内の断路位置と接続位置との間を水平に移動する遮断器本体（６）と、を有する多極形の引出形回路遮断器の、遮断器本体が引出枠から取り外されたとき枠端子の本体接触部を自動的に覆うシャッタ装置において、枠端子の本体接触部が挿通する開口部（７ａ）が形成され、該本体接触部に沿って遮断器本体の移動方向にスライド自在の絶縁板製の水平スライド板（７）と、水平スライド板に沿って垂直方向にスライド自在なるように該水平スライド板に保持されるとともに枠端子の本体接触部が挿通する開口部（８ａ）が形成され、該開口部と水平スライド板の開口部とが一致した状態で本体接触部に沿って遮断器本体の移動方向にスライド自在の絶縁板製の垂直スライド板（８）と、水平スライド板を遮断器本体方向に付勢するばね（１８）と、垂直スライド板を水平スライド板の開口部を覆う方向に付勢するばね（２０）と、を枠端子ごとに設け、遮断器本体が接続位置に挿入される途中で垂直スライド板を、垂直スライド板の開口部と水平スライド板の開口部とが一致する位置まで垂直移動させる垂直スライド板動作部材（１１）と、両開口部が一致した状態でさらに遮断器本体が挿入されたとき、水平スライド板と垂直スライド板とを枠端子の本体接触部に沿って移動させるシャッタ板水平動作部材（１０）と、を枠端子ごとに対応して遮断器本体に設け、更に、垂直スライド板と水平スライド板のいずれか一方に設けられる変位自在の凸部材（１４ａ）と他方に設けられる凹部材（７ｄ）からなる係合手段を有し、垂直スライド板が水平スライド板の開口部を覆っている状態で係合手段が係合して垂直スライド板の垂直方向へのスライドを阻止するスライド阻止部材（１２）を有し、遮断器本体が接続位置に挿入される途中で凸部材を変位させ係合手段の係合を解除する解除手段（１１）が遮断器本体に設けられることとしている。
【００１０】
さらに、請求項２の発明では、左右方向に並んだ全ての枠端子に対応する複数の垂直スライド板と係合して垂直スライド板を水平スライド板の開口部を覆う位置にロックするロック部材（２３）と南京錠を取り付けるロック孔（２１ｅ）を備えるとともに、引出枠からの取外し可能位置と取外し不可能位置との間で引出枠上を左右方向にスライド自在のスライドロック板（２１）と、引出枠上の固定部材（１７）と係合してスライド不可能であるとともに、スライドロック板が取外し不可能位置にあるとき該スライドロック板に形成されたロック孔と一致する位置に南京錠を取り付けるロック孔（２２ｃ）を有する固定ロック板（２２）とを有することとしている。
【発明の効果】
【００１１】
請求項１の発明は、シャッタ装置を枠端子ごとに構成しているため、ユニット構成とすることができ、構成が簡単で回路遮断器の仕様に対応して融通性のあるシャッタ装置を提供できるという効果を奏する。
また、請求項１の発明は、遮断器本体を引出枠から取り外した状態で垂直スライド板が不用意にスライドされることがなく、本体接触部が露出しないため安全性が確保されるという効果を奏する。
さらに、請求項２の発明は、シャッタ装置を枠端子ごとに構成しても、左右に並んだ複数の端子を一括してロックできる構成であるため、簡単に安全を確保できるという効果を奏する。
【発明を実施するための最良の形態】
【００１２】
本発明による引出形回路遮断器のシャッタ装置の実施の形態を、図１ないし図９に示されている実施例において説明する。
図２は、この引出形回路遮断器の遮断器本体を取り外した引出枠１を正面から見た図である。なお、図２では、説明の都合上、後述する案内ピン１７を除いて本実施例のシャッタ装置の構成部材の図示が省略されている。図２を参照して、この引出形回路遮断器は４極形であって、各極ごとに設けられた４個の端子絶縁ベース２が左右方向に並べて引出枠１の枠部材３に取り付けられている。それぞれの端子絶縁ベース２には、上側枠端子４と、下側枠端子５と、これらの端子の両側に位置する合計４本の案内ピン１７が設けられている。なお、引出枠１全体では１６本の同一構造の案内ピン１７が設けられるが、以下の説明において特定する必要のある案内ピンには、図中で、１７Ｃ，１７Ｄ，１７Ｅ，１７Ｆ及び１７Ｇの符号を付してある。
なお、上側枠端子４と下側枠端子５、及びこれらの端子に対応して設けられるシャッタ装置は、上下対称の同一構造であるため、以下、特記しない限り代表して上側枠端子４、及び、上側枠端子４のシャッタ装置について説明する。
【００１３】
図３を参照して、本実施例のシャッタ装置は、いずれも絶縁板からなる、図３において左右方向にのみ移動する水平スライド板７と、水平スライド板７に沿って遮断器本体６側に位置する、垂直方向と左右方向に移動する垂直スライド板８とを有する。
図３（ａ）及び（ｂ）は、それぞれ、遮断器本体６が断路位置及び接続位置にあるときの、遮断器本体６と、水平スライド板７と、垂直スライド板８と、上側枠端子４との関係を説明する部分側面図であって、後述するシャッタ動作機構１２の図示は省略されている。
図２及び図３を参照して、上側枠端子４は、１極あたり一対の端子ベース４ａと、それぞれの端子ベース４ａから引出枠１の裏面に突き出る垂直の接続面を有する外線接続部４ｂと、引出枠１の正面側に突き出る水平の接触面を有する本体接触部４ｃとを有しており、上側枠端子４には１極あたり４個の本体接触部４ｃが下駄の歯状に左右に２対設けられている。
図３を参照して、遮断器本体６は、その背面に上側枠端子４の本体接触部４ｃに対応して設けられる本体端子９と、本体端子９と本体接触部４ｃとを接続する引出主接触子１０と、垂直スライド板８を移動させる傾斜縁を有するシャッタ動作板１１とを、上側枠端子４ごとに設けている。
【００１４】
図４及び図５は、それぞれ水平スライド板７及び垂直スライド板８の正面図である。
図４を参照して、水平スライド板７には、上側枠端子４の本体接触部４ｃが挿入する左右２列４個の矩形の端子孔７ａと、左右２列の端子孔７ａの間を上下方向に並ぶばねピン移動孔７ｂ、シャッタ動作板逃がし孔７ｃ及び係止孔７ｄと、左右両辺の突起部に形成された一対のＵ字切欠き７ｅとが形成されている。また、図５を参照して、垂直スライド板８には、上側枠端子４の上側の本体接触部４ｃが挿入する左右２個の矩形の端子孔８ａと、左右２個の端子孔８ａの間に位置するシャッタ動作板逃がし孔８ｂが形成されている。
【００１５】
図６（ａ）及び（ｂ）は、それぞれ、遮断器本体６が断路位置及び接続位置にあるときの、シャッタ動作機構１２の状態を説明する部分側面図である。シャッタ動作機構１２は、下端部にストッパ片１４ａを有し上端部にローラ１５を備えたストッパレバー１４と、ストッパレバー１４を反時計方向に付勢する板ばね１６を有し垂直スライド板８に取り付けられている。
【００１６】
図１及び図７は、上側枠端子４に対して上述のシャッタ装置を取り付けたときの、それぞれ正面図及び要部側面図である。水平スライド板７は、端子絶縁ベース２の正面側に立脚する一対の案内ピン１７に、左右両側のＵ字切欠き７ｅをはめ込んで取り付けられており、ばね１８によって遮断器本体６方向に付勢されている。
垂直スライド板８は、水平スライド板７の左右両縁近くに設けられた一対の段付ピン１９によって水平スライド板７に沿うように保持されるとともに、水平スライド板７に設けられたピンと、水平スライド板７のばねピン移動孔７ｂを挿通するように垂直スライド板８に設けられピンとの間に設けられたばね２０によって上方に付勢されている。
【００１７】
このようなシャッタ装置の動作について説明する。図３（ａ）を参照して、遮断器本体６が断路位置にあるとき、上側枠端子４の正面側は、端子孔７ａと対向している本体接触部４ｃの先端部分を除いて、水平スライド板７によって覆われている。また、垂直スライド板８は、ばね２０の作用により上方に位置し、端子孔８ａより上の面及び下の面で、それぞれ水平スライド板７の上側の端子孔７ａ及び下側の端子孔７ａを覆っている。すなわち、本体接触部４ｃの先端部分も覆われてシャッタ装置が閉じた状態にあり、人が正面から上側枠端子４に触れることができないようになっている。また、図６（ａ）を参照して、人が不注意で垂直スライド板８を下方にスライドさせようとしても、ストッパレバー１４のストッパ片１４ａが係止孔７ｄにはまり込んでいるためスライド動作が阻止される。
【００１８】
図６（ａ）を参照して、このような断路位置にあるとき、水平スライド板７のシャッタ動作板逃がし孔７ｃと垂直スライド板８のシャッタ動作板逃がし孔８ｂとが重なった状態で、シャッタ動作板１１の先端部と対向するように位置している。この状態で遮断器本体６を接続位置方向へ移動させると、シャッタ動作板１１が右に移動してその傾斜縁上をローラ１５が移動してストッパレバー１４が時計方向に回転してストッパ片１４ａが係止孔７ｄから脱出する。さらに、遮断器本体６が移動すると、シャッタ動作板１１の傾斜縁がストッパレバー１４を介して垂直スライド板８を下方へ移動させる。垂直スライド板８が、その端子孔８ａが水平スライド板７の下側の端子孔７ａと一致する位置に達したとき、垂直スライド板８の上縁８ｃが水平スライド板７の上側の端子孔７ａより下の位置にあり、上側と下側の本体接触部４ｃの先端が露出した状態となる。
【００１９】
さらに、遮断器本体６が移動すると、引出主接触子１０の右先端部が垂直スライド板８と接触して垂直スライド板８と水平スライド板７を諸に右方向へ移動させる。このとき、端子孔８ａと端子孔７ａが本体接触部４ｃに沿って移動し、引出主接触子１０も本体接触部４ｃ上を摺動して接続位置に達する。この状態が、図３（ｂ）及び図６（ｂ）に示されている。なお、遮断器本体６を接続位置から断路位置方向へ移動させたときは、上述の動作と逆の動作で図３（ａ）及び図６（ａ）で示されている状態となる。
【００２０】
次に、図７及び図８を参照して、上述のシャッタ装置のロック装置について説明する。遮断器本体６を接続位置から断路位置に移動させて引出枠１から取り外したとき、上述のごとく自動的に閉じたシャッタ装置を、南京錠でロックすることができる。このロック装置は、上側枠端子４ごとに設けられる４個の前述のシャッタ装置にまたがる断面がＬ字状のスライドロック板２１と、スライドロック板２１と協働して南京錠によるロック機能を持たせる断面がＬ字状の固定ロック板２２とを有する。後述するように、スライドロック板２１と固定ロック板２２は重ね合わされて、図７に鎖線で示されているごとく、案内ピン１７の先端部に取り付けられる。
【００２１】
案内ピン１７の先端には頭部１７ａと首部１７ｂが形成されており、図８を参照して、固定ロック板２２の垂直方向の面には、案内ピン１７の頭部１７ａの直径よりやや大きい丸い係止孔２２ａと２個の長孔２２ｂとが一列に形成されている。また、固定ロック板２２の水平方向の面には３個のロック孔２２ｃが形成されている。
図８に部分図として示されているスライドロック板２１の垂直方向の面には、案内ピン１７の頭部１７ａの直径よりやや大きい丸孔部分２１ａと頭部１７ａの直径より小さく首部１７ｂの直径より大きい幅の長孔部分２１ｂとがつながったロック異形孔２１ｃと、ロック異形孔２１ｃと一列に並んだ２個の丸孔２１ｄが形成されている。さらに、スライドロック板２１の垂直方向の面には各極ごとに２個のロックピン２３が裏面方向に立脚している。また、スライドロック板２１の水平方向の面には、固定ロック板２２のロック孔２２ｃと同じ間隔で３個のロック孔２１ｅが形成されている。
【００２２】
以下に、このロック装置の取付について説明する。図９を参照して、まず、それぞれ２個の長孔２２ｂと２個の丸孔２１ｄが一致するように、固定ロック板２２をスライドロック板２１の手前に重ね合わせる。そして、長孔２２ｂの幅より小さい直径の首部と大きい頭部を有する２個のスライドピン２４を丸孔２１ｄに取り付けて、固定ロック板２２がスライドロック板２１上をスライド可能なように一体化する。
次に、スライドロック板２１のロック異形孔２１ｃの丸孔部分２１ａと固定ロック板２２の係止孔２２ａが一致するように、スライドロック板２１上で固定ロック板２２をスライドさせて、シャッタ装置が閉じた状態で、ロック異形孔２１ｃを案内ピン１７にはめ込む。このようにはめ込むことにより、図９に示すごとくロックピン２３が垂直スライド板８の端子孔８ａの上縁に接する部分に位置するため、垂直スライド板８を下方にスライドさせることができずシャッタ装置が閉じた状態を維持できる。
【００２３】
次に、３個のロック孔２２ｃと３個のロック孔２１ｅが重なる位置まで、スライドロック板２１を、案内ピン１７の首部１７ｂがロック異形孔２１ｃの丸孔部分２１ａから長孔部分２１ｂ方向へ位置するようにスライドさせる。
なお、スライドロック板２１のロック異形孔２１ｃの丸孔部分２１ａと長孔部分２１ｂとの間隔及び長孔部分２１ｂの長さ、並びに、固定ロック板２２の係止孔２２ａと長孔２２ｂとの間隔及び長孔２２ｂの長さは、上述のごとく３個のロック孔２２ｃと３個のロック孔２１ｅが重なる位置までスライドロック板２１をスライドできるとともに、前述のごとく、スライドロック板２１のロック異形孔２１ｃの丸孔部分２１ａと固定ロック板２２の係止孔２２ａが一致するように固定ロック板２２をスライドできる寸法となっている。
【００２４】
上述の３個のロック孔２２ｃと３個のロック孔２１ｅが重なる位置では、長孔部分２１ｂの幅が案内ピン１７の頭の大きさより小さいため、スライドロック板２１を案内ピン１７から取り外すことができない。また、ロック異形孔２１ｃの丸孔部分２１ａが案内ピン１７の位置になるように、スライドロック板２１と固定ロック板２２とを諸にしてスライドさせようとしても、固定ロック板２２の係止孔２２ａが案内ピン１７の頭部１７ａと係合するためスライドすることができない。したがって、最大３個の南京錠をこのロック孔に装着してロック状態を実現することができる。
【００２５】
以上のようなロック機能を実現するためには、スライドロック板２１のロック異形孔２１ｃを、４極分の上側枠端子４に設けられる８本の案内ピン１７のいずれかに対応する位置に形成し、残りの案内ピン１７に対応する位置には、案内ピン１７の頭部１７ａがはまり込むとともに、スライドロック板２のスライドを阻害しない程度の大きさの長孔２１ｆを形成しておけばよい。しかし、左右に長いスライドロック板２が撓むことによるロック機能の不完全さを防止するため、他の案内ピンに対応する部分にもロック異形孔２１ｃと同一形状の補助異形孔を形成しておいたほうがよい。例えば、図２において、左右両端の案内ピン１７Ｃ，１７Ｄ及び中間部の案内ピン１７Ｅ，１７Ｆに対応する位置に、上述のロック異形孔２１ｃと同形状の異形孔を形成し、いずれか一つの異形孔をロック異形孔２１ｃとし残りのものを補助異形孔としてもよい。スライドロック板２１を部分的に示している図８のロック異形孔２１ｃ、補助異形孔２１ｇ及び長孔２１ｆは、それぞれ案内ピン１７Ｅ、案内ピン１７Ｆ及び案内ピン１７Ｇに対応する位置に形成されたものである。
このようなスライドロック板２１と固定ロック板２２とを上下対称に下側枠端子５にも取り付けることができる。
【図面の簡単な説明】
【００２６】
【図１】本発明による実施例の引出形回路遮断器のシャッタ装置を、１極分の上側端子に取り付けた状態を示す正面図である。
【図２】図１のシャッタ装置を取り付ける引出形回路遮断器の、遮断器本体を取り外した引出枠を正面から見た図である。
【図３】遮断器本体６と水平スライド板７と垂直スライド板８と上側枠端子４との関係を説明する、（ａ）遮断器本体が断路位置、及び（ｂ）接続位置、にあるときの部分側面図である。
【図４】水平スライド板７の正面図である。
【図５】垂直スライド板８の正面図である。
【図６】シャッタ動作機構１２の状態を説明する図であって、（ａ）遮断器本体６が断路位置、及び（ｂ）接続位置、にあるときの部分側面図である。
【図７】図１の要部側面図である。
【図８】スライドロック板２１の部分斜視図及び固定ロック板２２の斜視図である。
【図９】スライドロック板２１と固定ロック板２２を取り付けたときの部分側面図である。
【図１０】従来のシャッタ装置を装着した引出形回路遮断器の引出枠５０を示す正面図である。
【図１１】図１０の部分側面断面図である。
【図１２】従来のシャッタ装置のロック装置を説明する側面図である。
【符号の説明】
【００２７】
１  引出枠
２  端子絶縁ベース
３  枠部材
４  上側枠端子
４ａ  端子ベース
４ｂ  外線接続部
４ｃ  本体接触部
５  下側枠端子
６  遮断器本体
７  水平スライド板
７ａ  端子孔
７ｂ  ばねピン移動孔
７ｃ  シャッタ動作板逃がし孔
７ｄ  係止孔
７ｅ  Ｕ字切欠き
８  垂直スライド板
８ａ  端子孔
８ｂ  シャッタ動作板逃がし孔
８ｃ  上縁
９  本体端子
１０  引出主接触子
１１  シャッタ動作板
１２  シャッタ動作機構
１４  ストッパレバー
１４ａ  ストッパ片
１５  ローラ
１６  板ばね
１７，１７Ｃ，１７Ｄ，１７Ｅ，１７Ｆ，１７Ｇ  案内ピン
１７ａ  頭部
１７ｂ  首部
１８  ばね
１９  段付ピン
２０  ばね
２１  スライドロック板
２１ａ  丸孔部分
２１ｂ  長孔部分
２１ｃ  ロック異形孔
２１ｄ  丸孔
２１ｅ  ロック孔
２１ｆ  長孔
２１ｇ  補助異形孔
２２  固定ロック板
２２ａ  係止孔
２２ｂ  長孔
２２ｃ  ロック孔
２３  ロックピン
２４  スライドピン
【図１】
0004584843.tif 000002
【図２】
0004584843.tif 000003
【図３】
0004584843.tif 000004
【図４】
0004584843.tif 000005
【図５】
0004584843.tif 000006
【図６】
0004584843.tif 000007
【図７】
0004584843.tif 000008
【図８】
0004584843.tif 000009
【図９】
0004584843.tif 000010
【図１０】
0004584843.tif 000011
【図１１】
0004584843.tif 000012
【図１２】
0004584843.tif 000013